(57)【特許請求の範囲】
【請求項１】
水を貯水する貯水容器と、
前記貯水容器に水を供給するタンク部とを備え、
前記タンク部は、
水を貯水するタンクと、
前記タンクのタンク開口に設けた蓋とを備え、
前記蓋には、
上下方向に開口し、前記タンク内の水が前記貯水容器に流れ込む蓋開口と、
前記蓋開口を開閉する開閉弁部と、
前記開閉弁部を可動自在に支持する弁支持と、
前記蓋開口を囲い前記貯水容器側へ延びる円周壁とを備え、
前記タンク部の前記蓋を前記貯水容器に装着すると前記開閉弁部が前記蓋開口を開き、
前記弁支持は、
前記蓋開口を孔である第１の孔と第２の孔とに分け、
前記蓋の前記第１の孔の開口縁に水滴下促進部を設け、
前記水滴下促進部は、
前記タンク部の前記蓋を前記貯水容器に装着した状態において、前記蓋における前記第１の孔の下端開口縁の外方側のみから下方に突出した突起であり、
前記蓋の前記第２の孔の開口縁に空気進入促進部を設け、
前記空気進入促進部は、
前記蓋における前記第２の孔の下端開口縁の外方側のみから前記タンク内へ凹んだ窪みであることを特徴とする空気調和装置。
【発明の詳細な説明】
【技術分野】
【０００１】
本発明は、貯水容器に水を供給するタンク部を備えた空気調和装置に関するものである。
【背景技術】
【０００２】
従来の空気調和装置においては、水を貯水する貯水容器と、貯水容器に水を供給するタンク部とを備え、タンク部は、水を貯水するタンクと、タンクの開口に設けた蓋とを備えていた。蓋には、上下方向に開口した蓋開口と、蓋開口を開閉する開閉弁部とが備えられ、タンク部の蓋を貯水容器に装着すると開閉弁部が蓋開口を開き、蓋開口からタンク内の水が、貯水容器へ貯水される構成であった。
【先行技術文献】
【特許文献】
【０００３】
【特許文献１】特開２０１１−９９６２５号公報
【発明の概要】
【発明が解決しようとする課題】
【０００４】
このような従来の空気調和装置においては、タンクの開口に設けた蓋の蓋開口からタンク内の水が貯水容器へ給水される。蓋開口を大きくすると水は出易いが、給水時に発生する音が大きくなり、蓋開口を小さくすると給水時に発生する音が小さくなるが、水の表面張力により水が出難くなるという課題を有していた。
【０００５】
そこで本発明は、上記従来の課題を解決するものであり、給水時に発生する音を抑制し、水が出易い空気調和装置を提供することを目的とする。
【課題を解決するための手段】
【０００６】
そして、この目的を達成するために、本発明は、水を貯水する貯水容器と、前記貯水容器に水を供給するタンク部とを備え、前記タンク部は、水を貯水するタンクと、前記タンクの開口に設けた蓋とを備え、前記蓋には、上下方向に開口し、前記タンク内の水が前記貯水容器に流れ込む蓋開口と、前記蓋開口を開閉する開閉弁部と、前記開閉弁部を可動自在に支持する弁支持と、前記蓋開口を囲い前記貯水容器側へ延びる円周壁とを備え、前記タンク部の前記蓋を前記貯水容器に装着すると前記開閉弁部が前記蓋開口を開き、前記弁支持は、前記蓋開口を同形状の孔である第１の孔と第２の孔とに分け、前記蓋の前記第１の孔の開口縁に水滴下促進部を設け、前記水滴下促進部は、前記タンク部の前記蓋を前記貯水容器に装着した状態において、前記蓋における前記第１の孔の下端開口縁の外方側のみから下方に突出した突起であり、前記蓋の前記第２の孔の開口縁に空気進入促進部を設け、前記空気進入促進部は、前記蓋における前記第２の孔の下端開口縁の外方側のみから前記タンク内へ凹んだ窪みであることを特徴としたものであり、これにより所期の目的を達成するものである。
【発明の効果】
【０００７】
本発明によれば、水を貯水する貯水容器と、前記貯水容器に水を供給するタンク部とを備え、前記タンク部は、水を貯水するタンクと、前記タンクの開口に設けた蓋とを備え、前記蓋には、上下方向に開口し、前記タンク内の水が前記貯水容器に流れ込む蓋開口と、前記蓋開口を開閉する開閉弁部と、前記開閉弁部を可動自在に支持する弁支持と、前記蓋開口を囲い前記貯水容器側へ延びる円周壁とを備え、前記タンク部の前記蓋を前記貯水容器に装着すると前記開閉弁部が前記蓋開口を開き、前記弁支持は、前記蓋開口を同形状の孔である第１の孔と第２の孔とに分け、前記蓋の前記第１の孔の開口縁に水滴下促進部を設け、前記水滴下促進部は、前記タンク部の前記蓋を前記貯水容器に装着した状態において、前記蓋における前記第１の孔の下端開口縁の外方側のみから下方に突出した突起であり、前記蓋の前記第２の孔の開口縁に空気進入促進部を設け、前記空気進入促進部は、前記蓋における前記第２の孔の下端開口縁の外方側のみから前記タンク内へ凹んだ窪みである。
【０００８】
以上の構成により、同形状の孔である第１の孔と第２の孔とを備え、蓋の第１の孔の開口縁に水滴下促進部を設けたので、第１の孔から水が滴下し易く、第２の孔から空気が入り易くなり、給水時に発生する音を抑制し、水が出易いという効果を得ることができる。
【図面の簡単な説明】
【０００９】
【図１】本発明の実施の形態１の空気調和装置を示す斜視図
【図２】同空気調和装置を示す斜視図
【図３】同空気調和装置を示す展開図
【図４】同空気調和装置を示す断面図
【図５】同空気調和装置のタンク部を示す斜視図
【図６】同空気調和装置のタンク部を示す断面展開図
【図７】同空気調和装置のタンク部の蓋を示す斜視図
【図８】同空気調和装置のタンク部を示す断面図
【図９】同空気調和装置のタンク部を示す断面図
【発明を実施するための形態】
【００１０】
以下、本発明の実施の形態について図面を参照しながら説明する。
【００１１】
（実施の形態１）
図１は、本発明の実施の形態１の空気調和装置を示す斜視図である。図２は、本発明の実施の形態１の空気調和装置を示す斜視図であり、蓋部を開けた状態である。図３は、本発明の実施の形態１の空気調和装置を示す展開図であり、タンク部を抜いた状態である。
【００１２】
図１、図２、図３に示すように、空気調和装置は、本体ケース１と、本体ケース１内に設けられた後述する空気調和手段である加湿部９と、加湿部９に水を供給するタンク部２とから構成されている。
【００１３】
本体ケース１は、横長の箱形状である。本体ケース１の外周面の背面側には吸込口（図示せず）が備えられている。本体ケース１の天面の一方側（本体ケースの正面から見て左側）には吹出口３が備えられ、本体ケース１の天面の他方側（本体ケースの正面から見て右側）には四角形状の装着開口部４が備えられている。なお、図１から図３での本体ケース１の正面とは、図面上の左下方向からケースを見た面である。
【００１４】
装着開口部４には、装着開口部４を塞ぐ蓋部５が装着されている。蓋部５を開くと、本体ケース１内には、天面の装着開口部４からタンク部２を挿入、装着できるタンク装着部６が備えられている。
【００１５】
蓋部５は、四角形で、下面が開口した椀形状である。蓋部５には、本体ケース１における背面側に回動部７が備えられ、本体ケース１の天面の他方側（本体ケースの正面から見て右側）につまみ８が設けられている。なお、図１から図３での本体ケース１の背面とは、図面上の右上方向からケースを見た面である。
【００１６】
図４は、本発明の実施の形態１の空気調和装置を示す断面図であり、本体ケース１の前面から見た断面図である。図４に示すように、本体ケース１内には、加湿部９が備えられている。加湿部９は、貯水容器１０と、加湿フィルター１１と、送風機１２とから構成されている。
【００１７】
貯水容器１０は、上面（図４では上方向）が開口した椀形状である。貯水容器１０の一方側（本体ケースの正面から見て左側）には、加湿フィルター１１が装着され、貯水容器１０の他方側（本体ケースの正面から見て右側）には、タンク部２が装着される。タンク部２から供給された水が、貯水容器１０内に所定の量だけ溜まる。
【００１８】
加湿フィルター１１は、貯水容器１０内に溜まった水に、下端部が浸漬するように、貯水容器１０に装着されている。加湿フィルター１１は、貯水容器１０内に溜まった水を吸い上げ、加湿フィルター１１全体が湿った状態になる。
【００１９】
送風機１２は、加湿フィルター１１の上方に設けられている。モータ１３と、モータ１３によって回転する羽根１４とから構成している。
【００２０】
続いて、空気調和装置における空気の流れを説明する。吸込口と吹出口３とを連通する風路には、吸込口、加湿フィルター１１、送風機１２、吹出口３が順に配置されている。送風機１２によって、本体ケース１外の空気が、吸込口から吸い込まれ、加湿フィルター１１へ送風される。この加湿フィルター１１を通過することによって、湿った空気となる。この湿った空気が、送風機１２を介し、吹出口３から本体ケース１外へ送風される。
【００２１】
図５は、本発明の実施の形態１の空気調和装置のタンク部を示す斜視図である。図６は、本発明の実施の形態１の空気調和装置のタンク部を示す断面図であり、本発明の実施の形態１の空気調和装置のタンク部を示す断面展開図である。図７は、本発明の実施の形態１の空気調和装置のタンク部の蓋を示す斜視図である。
【００２２】
図５、６、７に示すように、タンク部２は、水を貯水するタンク２０と、タンク２０のタンク開口２１に設けた蓋２２とを備えている。
【００２３】
タンク２０は、縦長箱形状で、装着開口部４からタンク装着部６にタンク部２を装着した状態において、タンク２０の天面に取手２３を設け、タンク２０の下面にはタンク開口２１を備えている。
【００２４】
取手２３は、棒状で、断面形状が略楕円形状で内部に中空部を有する。この取手２３を持って本体ケース１からタンク部２を容易に引き出すことができる。
【００２５】
タンク開口２１は、中心軸方向が上下方向に延びた円筒形状で、タンク開口２１の外周には、螺旋状の突起からなるねじ部分２４を備えている。
【００２６】
蓋２２は、略円板状の蓋面部２５と、この蓋面部２５の外周端から蓋面部２５に対して垂直方向に略円筒形状の外周円筒部２６が延びている。外周円筒部２６の内周には螺旋状の突起からなるねじ部分２７を備えている。蓋２２のねじ部分２７とタンク開口２１のねじ部分２４とを摺動させることによりタンク開口２１に蓋が着脱可能となっている。蓋２２の蓋面部２５には、上下方向に開口した蓋開口２８と、蓋開口２８を開閉する弁機構２９と、弁機構２９を可動自在に支持する弁支持３０と、蓋開口２８を囲い貯水容器１０側へ延びる円周壁３１とを備えている。
【００２７】
蓋開口２８は、蓋２２中央部の円形状の孔であり、弁支持３０によって同形状の蓋開口２８である第１の孔３２と第２の孔３３とに分けられている。第１の孔３２と第２の孔３３は、Ｃ形状の孔である。
【００２８】
弁支持３０は、蓋開口２８の周縁から中心方向へ延びた複数の桟３４と、複数の桟３４を連結する円板形状の連結部３５と、連結部３５の中央に円形の孔である貫通部３６とを備えている。
【００２９】
弁機構２９は、軸部３７と、開閉弁部３８と、ばね３９と、ばね止め部４０とを備えている。
【００３０】
軸部３７は、略円柱形状で、一方側端部にばね止め部４０を備えている。軸部３７の他方側端部にコイル状のばね３９を挿入し、ばね３９の上から突出した軸部３７の他方側端部を弁支持３０の貫通部３６に下から挿入し、軸部３７が弁支持３０から抜けないように、軸部３７の他方側端部の先端に、略円板形状のゴムである開閉弁部３８を挿入固定すると、弁機構２９が形成される。なお、軸部３７とばね止め部４０とは、一体で形成されている。
【００３１】
図８に示すように、図８は、本発明の実施の形態１の空気調和装置のタンク部を示す断面図である。図８は、弁機構によって蓋開口が閉じた状態である。
【００３２】
開閉弁部３８は、蓋２２の蓋開口２８にばね３９により押し当てられ、この蓋２２の蓋開口２８である第１の孔３２と第２の孔３３は、弁機構２９である開閉弁部３８によって塞がれた状態となる。
【００３３】
円周壁３１は、蓋開口の周囲に、蓋開口の周縁近傍から延びた略円筒形状である。円周壁３１の下端は、同一平面状に位置している。
【００３４】
図９は、本発明の実施の形態１の空気調和装置のタンク部を示す断面図である。図９は、弁機構によって蓋開口が開いた状態である。
【００３５】
以上のタンク部２の構成での貯水容器１０への水の供給動作について説明する。まず、水の入ったタンク部２の取手２３を持ってタンク装着部６に装着すると、貯水容器１０の底板内面に設けた円柱形状の突起部（図示せず）に弁機構２９であるばね止め部４０が当たり、このばね止め部４０がばね３９を縮めながら上方へ移動する。（図９参照）それに伴い、開閉弁部３８も上昇し、蓋２２の蓋開口２８から弁機構２９である開閉弁部３８が離れることにより、蓋２２の蓋開口２８からタンク２０内の水が貯水容器１０へ流れ込むものである。ここで、蓋開口２８を開閉する弁機構２９の周囲の円周壁の下端まで貯水容器１０に水が溜まると、弁機構２９の周囲の円周壁３１の下端からタンク２０内に空気が入ることが無くなるので、タンク内の水が貯水容器１０に流れ込まない。つまり、貯水容器１０の水が減ると、弁機構の周囲の円周壁３１の下端まで水位が増え、この円周壁３１の下端で水位が一定に保たれる。
【００３６】
本実施の形態の特徴は、図７、８、９に示すように、蓋２２の第１の孔３２の開口縁に水滴下促進部４１を設けた点である。これにより、第１の孔３２から水が滴下し易く、第２の孔３３から空気が入り易くなり、給水時に発生する音を抑制し、水が出易いという効果を得ることができる。
【００３７】
具体的には、水滴下促進部４１は、タンク部２の蓋２２が貯水容器１０に装着された状態で、蓋２２における第１の孔３２の下端開口縁の外方側から下方に突出した突起である。突起は、第１の孔３２の下端開口縁の外方側全体が突出し、第１の孔３２と段差なく下方に突出している。つまり、突起は、Ｃ形状の孔である第１の孔３２の下端開口縁の外方側に沿って下方に突出し、水平断面形状が、Ｃ形状である。第１の孔３２の外方側における孔内面４３と、突起内面４４とが段差なく連結している。
【００３８】
これにより、第１の孔３２では、第１の孔３２の下端開口で、第１の孔３２の内方側開口縁、突起の下端に沿って水面が形成され、第２の孔３３では、第２の孔３３の下端開口に水面が形成される。第２の孔３３の水面より第１の孔３２の水面が下方に位置し、水面は蓋面部２５に対し傾斜を持って形成されると考えられる。結果として、第１の孔３２と第２の孔３３の間で均衡が崩れ、第１の孔３２に形成される水面が第２の孔３３より下方にあるため、タンク２０内の水が第１の孔３２を通り貯水容器１０へ流れ込み易くなると考えられる。
【００３９】
また、蓋２２の第２の孔３３の開口縁に空気進入促進部４２を設けた。これにより、第１の孔３２から水が滴下し易く、更に第２の孔３３から空気が入り易くなり、給水時に発生する音を抑制し、水が出易いという効果を得ることができる。
【００４０】
具体的には、空気進入促進部４２は、蓋２２における第２の孔３３の下端開口縁の外方側からタンク２０内へ凹んだ窪みである。窪みは、第２の孔３３の下端開口縁の外方側全体がタンク２０内へ凹み、第２の孔３３の下端開口縁に滑らかに段差がなく、第２の孔３３の外方側壁に角度を付け繋がる形状である。言い換えると、窪みは、第２の孔３３の下端開口縁の外方側の角が面取り加工されたＣ面である。
【００４１】
これにより、第２の孔３３に形成される水面は、第２の孔３３の内方側開口縁、第２の孔３３と空気進入促進部４２の縁に位置し、第１の孔３２に形成される水面より、更に上方に、蓋面部２５に対し傾斜を持って形成されると考えられる。結果として、第１の孔３２と第２の孔３３の間で均衡が崩れ、第１の孔３２に形成される水面が第２の孔３３より下方にあるため、タンク２０内の水が第１の孔３２を通り貯水容器１０へ流れ込み易くなると考えられる。また、空気進入促進部４２を設けたことにより第２の孔３３の下端の開口が広くなり、貯水容器１０から第２の孔３３を通り、タンク２０内に空気が入り易くなる。
【産業上の利用可能性】
【００４２】
本発明にかかる空気調和装置は、家庭用や事務所用などに使用される加湿装置等として有用である。
【符号の説明】
【００４３】
１    本体ケース
２    タンク部
３    吹出口
４    装着開口部
５    蓋部
６    タンク装着部
７    回動部
８    つまみ
９    加湿部
１０    貯水容器
１１    加湿フィルター
１２    送風機
１３    モータ
１４    羽根
２０    タンク
２１    タンク開口
２２    蓋
２３    取手
２４    ねじ部分
２５    蓋面部
２６    外周円筒部
２７    ねじ部分
２８    蓋開口
２９    弁機構
３０    弁支持
３１    円周壁
３２    第１の孔
３３    第２の孔
３４    桟
３５    連結部
３６    貫通部
３７    軸部
３８    開閉弁部
３９    ばね
４０    ばね止め部
４１    水滴下促進部
４２    空気進入促進部
４３    孔内面
４４    突起内面
【図１】
0006706753.tif 000002
【図２】
0006706753.tif 000003
【図３】
0006706753.tif 000004
【図４】
0006706753.tif 000005
【図５】
0006706753.tif 000006
【図６】
0006706753.tif 000007
【図７】
0006706753.tif 000008
【図８】
0006706753.tif 000009
【図９】
0006706753.tif 000010